(57)【要約】【課題】簡単な機構により被支持部材に接続するコードを変形させることなく被支持部材を球面回転自在に支持できる導電接続部を有する球面回転支持機構を提供する。【解決手段】被支持部材２が支持部材１により同心に配置された内側および外側の２つの球形状接触面を介して支持されており、前記被支持部材および支持部材の夫々の接触面に設けられた導体片３、５および４、６の組を介して被支持部材２と支持部材１とが電気的に接続されるように構成した。【選択図】        図１
2004153362.tif 000002
【特許請求の範囲】
【請求項１】
被支持部材が支持部材により同心に配置された内側および外側の２つの球形状接触面を介して支持されており、前記被支持部材および支持部材の夫々の接触面に設けられた導体片の組を介して前記被支持部材と支持部材とが電気的に接続されるように構成したことを特徴とする導電接続部を有する球面回転支持機構。
【請求項２】
前記導体片はリング状導体片と円弧状導体片の組である請求項１の導電接続部を有する球面回転支持機構。
【発明の詳細な説明】
【０００１】
【発明の属する技術分野】
この発明は被支持部材を支持部材により球面運動可能に支持する支持機構に係わり、特に、被支持部材に支持された部材が支持部材に電気的に接続される球面回転支持機構に関する。
【０００２】
【従来の技術】
ウーハの前方にツイータを向きを可動に配置した従来の複合型スピーカのツイータの回転支持機構の例を図６により説明する。図６ではウーハの全体を図示していないが、ウーハのヨーク１８に固着されたポールピース１９に支柱２２が立設されている。ツイータ２０のケース２１には押え部材２３の穴２３ａを挿通させた状態で球状頭部を有する脚２１ａが固着される。
【０００３】
そして、押え部材２３は支柱２２に嵌合させた状態で固定され、押え部材２３および支柱２２に形成された夫々の半球面で脚２１の球状頭部を押えてツイータ２０が支柱２２に支持される。ツイータ２０に給電する接続コード１７はポールピース１９、支柱２２および球状頭部を有する脚２１に設けられた穴を挿通してツイータ２０の入力端子に接続される。
【０００４】
このようにツイータ２０は脚２１の球状頭部が面接触するようにして支持されているので、球面に従って向きを自在に傾斜でき、ツイータ２０から放射される高指向性の高音を好みの方向に放射させることができる。
【０００５】
上記した従来の複合型スピーカの配線構造では可動のツイータ２０に接続コード１７が直接接続しているために、ツイータ２０の向きを変えるときに、接続コード１７が曲げられたり捩じられたりする。このようにツイータ２０の向きを変える度に接続コード１７が変形されるので長期間使用する内に接続コード１７が断線するという問題があった。
【０００６】
本出願人が特願２００２−１６２４５０に提案した複合型スピーカのツイータ支持機構は、ツイータのケースが球面形状に形成され、この球面形状の面に沿って一対の入力端子が設けられており、前記球面形状の面を回転自在に支持する支持座に一対の金属片が張り付けられている。これらの入力端子と金属片との接触によりツイータに給電される。
【０００７】
この機構によると、ツイータの向きを変えるときに接続コードが変形されることはないが、同一の球面形状の面に一対の入力端子が配置されているためにツイータの向きは１つの軸回りしか回動できない。ツイータを２軸回りに回動可能とするためには前記支持座に可動支柱を１軸回りに回動自在に支持させ、この可動支柱によりツイータを前記１軸と異なる向きの軸回りに回動可能に支持させる必要があり、部品点数が多く、構造が複雑となる上にツイータの向きを変える動作が複雑となり、スムーズにツイータを動かすことができなかった。
【０００８】
【発明が解決しようとする課題】
この発明は上記した点に鑑みてなされたものであって、その目的とするところは、簡単な機構により被支持部材に接続するコードを変形させることなく被支持部を材球面回転自在に支持できる導電接続部を有する球面回転支持機構を提供することにある。
【０００９】
【課題を解決するための手段】
この発明の導電接続部を有する球面回転支持機構は、被支持部材が支持部材により同心に配置された内側および外側の２つの球形状接触面を介して支持されており、前記被支持部材および支持部材の夫々の接触面に設けられた導体片の組を介して前記被支持部材と支持部材とが電気的に接続されるように構成したものである。
【００１０】
また、前記導電接続部を有する球面回転支持機構において、前記導体片をリング状導体片と円弧状導体片の組としたものである。
【００１１】
【発明の実施の形態】
この発明の実施例を図面に基づいて説明する。図１はこの発明の第１の実施例である球面回転支持機構を示す断面図である。この球面回転支持機構は図６で説明したような複合型スピーカに用いられるものであり、図１に示す支持部材１に被支持部材２が球面回転自在に支持され、被支持部材２は図示していないツイータを支持する。
【００１２】
支持部材１および被支持部材２は樹脂で作られており、その形状は夫々図２（ａ）および図３（ａ）に詳しく示されている。図２（ａ）に示すように支持部材１には外側球形状接触面１ａと内側球形状接触面１ｂが同心に一体に形成されている。外側球形状接触面１ａにはその大円に沿うようにリング状溝１ｅが形成されており、リング状溝１ｅの一か所に連なる溝１ｆが外側球形状接触面１ａの表面に沿って下側に延びている。リング状溝１ｅおよび溝１ｆに図２（ｃ）に示す導体片４が装着される。すなわち、導体片４の接触部４ａはリング状溝１ｅに嵌め込まれ導通部４ｂは溝１ｆに嵌め込まれる。
【００１３】
支持部材１の内側球形状接触面１ｂにはその大円に沿うようにリング状溝１ｃが形成されており、リング状溝１ｃの一か所に連なる導孔１ｄが支持部材１の内部を通り外側に通じている。リング状溝１ｃおよび導孔１ｄに図２（ｂ）に示す導体片３が装着される。すなわち、導体片３の接触部３ａはリング状溝１ｃに嵌め込まれ導通部３ｂは導孔１ｄに挿通されて外部に突出する。接触部３ａは図４（ａ）に示すようにリング状溝１ｃ内で中央部が内側球形状接触面１ｂから突出するように曲げられており、弾性変形可能となっている。なお、導体片４の接触部４ａも同様に中央部が外側球形状接触面１ａから突出するように曲げられている。
【００１４】
図３（ａ）に示すように被支持部材２には外側球形状接触面２ａと内側球形状接触面２ｂが同心に一体に形成されている。外側球形状接触面２ａにはその子午線にに沿うように円弧状溝２ｅが形成されており、円弧状溝２ｅの一か所に連なる導孔２ｆが被支持部材１の内部を通り外側に通じている。円弧状溝２ｅおよび導孔２ｆに図３（ｃ）に示す導体片６が装着される。すなわち、導体片６の接触部６ａは円弧状溝２ｅに嵌め込まれ、接触部６ａとリング形状部６ｃを介して接続された導通部６ｂは導孔２ｆに挿通されて外部に突出する。なお、導通部６ｂはリング形状部６ｃに半田付けされた金属線である。また、リング形状部６ｃは被支持部材２の内側球形状接触面２ｂの部分を支持する支柱を挿通させる。
【００１５】
被支持部材２の内側球形状接触面２ｂにはその子午線にに沿うように円弧状溝２ｃが形成されており、円弧状溝２ｃの一か所に連なる導孔２ｄが被支持部材２の内部を通り外側に通じている。円弧状溝２ｃおよび導孔２ｄに図３（ｂ）に示す導体片５が装着される。すなわち、導体片５の接触部５ａは円弧状溝２ｃに嵌め込まれ導通部５ｂは導孔２ｄに挿通されて外部に突出する。
【００１６】
このように導体片が夫々装着された被支持部材２が図１に示すように支持部材１に嵌着される。このとき被支持部材２は一時的に弾性変形するが、容易に変形するように被支持部材２にすり割りを形成してもよい。また、導体片を支持部材および被支持部材とインサート成形により一体に成形してもよい。
【００１７】
被支持部材２が支持部材１に嵌着された状態で導体片３と導体片５は図４（ｂ）に示すように接触する。そして、被支持部材２が球面回転されたどの位置でも導体片３と導体片５は必ず１か所で接触する。導体片４と導体片６も同様である。導体片５と６は球形状接触面よりわずかに高くなっており、上述したように導体片３および４も中央部が球形状接触面より高くなっているので、適度な接触圧を以て導体片同士が接触し、電気的接続が確保される。
【００１８】
図５にこの発明の第２の実施例である球面回転支持機構の支持部材を示す。この例では支持部材は部分球形部を有する外側金属部材７と球形部を有する内側金属部材９が樹脂部材８を介して一体に形成されて構成されている。このように形成された支持部材が第１の実施例と同様の被支持部材を球面回転自在に支持して、外側金属部材７とにより内側金属部材９を介して支持部材と被支持部材が電気的に接続される。
【００１９】
実施例ではこの発明を複合型スピーカに適用した例を説明したが、この発明を電気スタンドのような照明器具等に適用することもできる。
【００２０】
【発明の効果】
この発明の導電接続部を有する球面回転支持機構によれば、被支持部材を球面回転自在に支持でき、しかも、接続コードが変形して段線する恐れがない。また、被支持部材は支持部材と嵌合する範囲内で自由に回動でき、回動範囲を規制するためのストッパーが不要である。しかも、機構が簡単であり、製造コストが安い。
【図面の簡単な説明】
【図１】この発明の第１の実施例である球面回転支持機構を示す断面図である。
【図２】図２（ａ）は同球面回転支持機構の支持部材を示す断面図、図２（ｂ）は同球面回転支持機構の支持部材内側導体片を示す展開図、図２（ｃ）は同球面回転支持機構の支持部材外側導体片を示す展開図である。
【図３】図３（ａ）は同球面回転支持機構の被支持部材を示す断面図、図３（ｂ）は同球面回転支持機構の被支持部材内側導体片を示す展開図、図３（ｃ）は同球面回転支持機構の被支持部材外側導体片を示す展開図である。
【図４】図４（ａ）は同球面回転支持機構の部分断面図、図４（ｂ）は同球面回転支持機構の部分斜視図である。
【図５】この発明の第２の実施例である球面回転支持機構の支持部材を示す分解斜視図である。
【図６】図６（ａ）は従来の複合型スピーカの支持機構の例を示す分解斜視図、図６（ｂ）は同支持機構を示す斜視図である。
【符号の説明】
１  支持部材、１ａ  外側球形状接触面、１ｂ  内側球形状接触面
１ｃ  リング状溝、１ｄ  導孔、１ｅ  リング状溝、１ｆ  溝
２  被支持部材、２ａ  外側球形状接触面、２ｂ  内側球形状接触面
２ｃ  円弧状溝、２ｄ  導孔、２ｅ  円弧状溝、２ｆ  導孔
３  導体片、３ａ  接触部、３ｂ  導通部
４  導体片、４ａ  接触部、４ｂ  導通部
５  導体片、５ａ  接触部、５ｂ  導通部
６  導体片、６ａ  接触部、６ｂ  導通部、６ｃ  リング形状部
７  外側金属部材
８  樹脂部材
９  内側金属部材
１７  接続コード
１８  ヨーク
１９  ポールピース
２０  ツイータ
２１  ケース、２１ａ  球状頭部を有する脚
２２  支柱
２３  押え部材、２３ａ  穴
【図１】
2004153362.tif 000003
【図２】
2004153362.tif 000004
【図３】
2004153362.tif 000005
【図４】
2004153362.tif 000006
【図５】
2004153362.tif 000007
【図６】
2004153362.tif 000008